(57)【要約】【課題】  従来のクーポンは企業等の第三者から与えられたという感が強かった。また割引や商品の引換えなどの文言があっても、なぜその割引や商品の引換えが使用者のためにとって良いのかという理由づけが価格が安くなるという以外得られることは少なかった。【解決手段】  しかし、おみくじをクーポンに付けることによりこういう運勢だからこの商品がいい、大吉だから割引率が高いなどの理由が出来、とくに大大吉や大吉などの運勢が良いとされるものを引き当てた顧客は割引率が高いことも手伝い、クーポンの使用頻度を上げることが可能になる。これによってコスト増も懸念されるが、小吉などの下位の種別を多く大大吉などの上位の種別を少なくすることで全体のコストを平準化し、クーポンの使用率を高めることが可能になる。【選択図】  図１
2013134524.tif 000002
【特許請求の範囲】
【請求項１】
シート状のおみくじにクーポンを付したことを特徴とするおみくじ。
【請求項２】
おみくじの中にラッキーアイテムを記載したことを特徴とする請求項１に記載のおみ
くじ。
【発明の詳細な説明】
【技術分野】
【０００１】
本発明はクーポンつきおみくじに関する。
【背景技術】
【０００２】
従来のおみくじは、寺社で引くものアミューズメント施設等で引くものを問わず運勢を記するものが一般的である。
また、商品の割引等があるクーポンにはおみくじの要素は入ってはいない。
【０００３】
実態としてのおみくじに工夫を加えているもの（例：おみくじ付きうちわ[特許文献１]やラッキーカラーシール付おみくじ[特許文献２]、おみくじ、占い印刷入り、箱形卓上ティッシュペーパー[特許文献３]）も存在するがそこにはクーポンという要素はない。
またｗｅｂ上では先行事例として「音声認識装置を用いたクーポン確認システム及びおみくじを用いたクーポン発行システム」[特許文献４]があるが、実態としてのおみくじにクーポンの要素を加えたものは存在しない。
【先行技術文献】
【特許文献】
【０００４】
【特許文献１】特開２００１−２９９４２４
【特許文献２】特開２０００−１１６４９８
【特許文献３】実開平６−５１１６７
【特許文献４】特開２００３−８５４２６
【発明の概要】
【発明が解決しようとする課題】
【０００５】
従来のクーポンはチラシなどに付属されているか、それ単体で用いられることが多く、顧客がそれを手に取ったとしても「ありがたみ」はさほど感じられることができず、集客の効果としては大きな割引率を用いるなどの工夫を施さない限りはそれ単体での魅力には乏しいという側面がある。
【０００６】
本発明はそのクーポンにおみくじの要素を加えることにより、そのクーポンを顧客が自ら引き当てたという高揚感を与え、以ってそのクーポンを使用してみようという感情を顧客にもたらしめる効果が期待される。
またおみくじには大大吉、大吉、中吉、小吉等の区分を設けることによりふくびき的な楽しみを生じさせる効果も期待できる。
【課題を解決するための手段】
【０００７】
そして、本発明は上記目的を達成するために同一の紙等シート状の媒体におみくじ部分とクーポン部分を同時に印刷し、それを折る、あるいは入場券、食券などと組み合わせる形で顧客に提供する。またおみくじには販促効果をもたらすためにラッキーアイテムやラッキープレイス等の文言を記載する。
【発明の効果】
【０００８】
その発明の作用としては単にクーポンを配るだけのものより、おみくじに書かれている文言からおみくじを引いた本人があたかも「私のために」用意されたものという作用を生み出し、クーポン部分にもその効果が及びその使用を促進する効果が期待できる。
【０００９】
また、スタンプラリーのように大大吉、大吉、中吉、小吉等のすべての種類の札をそろえると景品を獲得できるという使用方法も可能であり、またシークレットアイテムとしてかなり低い確率で超大吉などの希少な種類を混ぜることで顧客の更なる購入意欲を刺激することもできる。
【００１０】
上述のように本発明のクーポンつきおみくじは、クーポンにおみくじの要素を織り込むことによって、クーポン単体ではなし得なかった遊戯性をもたせ顧客の購買意欲・再訪意欲を刺激することが可能になる。
【００１１】
また文面にラッキーアイテム等の文言（図１の２ａ参照）を加え、その部分にこの製品を利用する当該施設等が重点的に販売したいもの、または広く知らしめたい対象等を当てはめる事により、販売効果あるいは告知効果を得ることができる。（例１[もの]ラッキーアイテム：カエルまんじゅう  例２[対象]：ラッキープレイス：イルカショー見物）
【図面の簡単な説明】
【００１２】
【図１】クーポンつきおみくじ平面図
【図２】クーポンつきおみくじ折り畳み図
【図３】入場券型クーポンつきおみくじ  表図・裏図
【図４】食券型クーポンつきおみくじ  表図・裏図
【図５】搭乗券型クーポンつきおみくじ  表図・裏図
【図６】包装紙型クーポンつきおみくじ  表図・裏図
【図７】名刺型クーポンつきおみくじ  表図・裏図
【発明を実施するための形態】
【００１３】
以下、本発明の実施形態をその代表的形態である図１〜図２に基づいて説明する。
【００１４】
図１においては、１はおみくじの種別を記す部分で、一般的に大大吉、大吉、中吉、小吉などを書き表すのが普通であるが、本発明品ではそれだけに留まらず「超大吉」や「末広がり吉」等の自由な文言を入れ、遊び心を持たせることにより利用者の気持ちを盛り上げていくことができる。
【００１５】
図１においては、２は運勢を記入する部分であるが、こちらには前向きな文言を中心に入れ、購入者の気持ちを上げてその後の商品購入や施設の再利用を促す効果を持たせる。
【００１６】
特に２ａで示すようにラッキーアイテムを入れる事により、施設や組織が売りたいものに特別な意味を持たせ販促につなげる効果を生み出すことができる。
【００１７】
図１においては、３はおみくじのタイトル部分となる。図２のように折りたたむと、この面が表紙となる。こちらのタイトル部分は○○参観記念、○○ご来場記念等の文言を入れその施設あるいはそのイベント等のオリジナル性を持たせる。
【００１８】
図１においては、４はクーポン部分であり、こちらに施設等の販売促進につなげる割引情報や招待券・利用券の情報を記入する。
【実施例】
【００１９】
図１に明示してあるように、主としてシート状の紙におみくじの文言とクーポンを同一文面上に記載する。
それを必要量印刷し、有償あるいは無償で顧客に配布あるいは景品等として渡す。
おみくじを引いた顧客がクーポンの内容に興味を持てば、それを使用し以って施設等の売上げに資することができる。
また、単純におみくじとクーポンを結びつけるだけではなく、図３、図４、図５、図６、図７にあるように既存の入場券、食券、搭乗券などの乗車券、包み紙、折り畳み名刺におみくじクーポンの要素を加えることも可能である。
図１に示す実施例においては、シート状の紙を使用しているが、本発明はシート状の紙のみではなく、樹脂、布、革等シート状のものであれば特に素材にこだわりはもたない。
【符号の説明】
【００２０】
１おみくじの種別を明示する部分
２運勢等明示する部分
２ａラッキーアイテム部
３表題部
４クーポン部
【図１】
2013134524.tif 000003
【図２】
2013134524.tif 000004
【図３】
2013134524.tif 000005
【図４】
2013134524.tif 000006
【図５】
2013134524.tif 000007
【図６】
2013134524.tif 000008
【図７】
2013134524.tif 000009